(57)【要約】  発泡成形品の表面に形成される凹状部及び凸状部に対して欠肉部の発生を防止することができ、且つコストの増加を抑制可能な発泡成形品、発泡成形品の製造方法、発泡成形品の成形型構造及び発泡成形品を用いた車両用シートパッドを提供する。  発泡性樹脂材料Ｍからなり表面に凹条又は凸条となる形状変形部２６を有する発泡体本体１２と、発泡体本体１２の形状変形部２６の形成面と対向する表面を覆うシート状のサポート材１４とが一体成形された発泡成形品１０。発泡成形品１０のサポート材１４には、形状変形部２６に対向する領域及び／又は該領域の近傍に突起部１６が設けられ、突起部１６は、形状変形部２６の延在方向に沿って伸長する柱形状である。
2019087647.tif 000002
【特許請求の範囲】
【請求項１】
内面に凸条部又は凹条部からなる型面形状変形部を有する第1の型部材と、該第１の型部材に対向して内面にシート状のサポート材が内面に貼着された第２の型部材とにより形成されるキャビティ内に、発泡性樹脂材料を注入して発泡させることにより、該発泡性樹脂材料からなる発泡体本体と前記サポート材とを一体成形する発泡成形品の製造方法において、
前記サポート材に突起部を取付けて前記第２の型部材に貼着する工程を含み、
前記突起部は、前記型面形状変形部の延在方向に沿って伸長する柱形状であって、前記サポート材において前記型面形状変形部に対向する領域及び／又は該領域の近傍に、前記型面形状変形部側に向かって突出する態様で設けられることを特徴とする発泡成形品の製造方法。
【請求項２】
内面に凸状部又は凹状部からなる型面形状変形部を有する第1の型部材と、該第１の型部材に対向して内面にシート状のサポート材が内面に貼着された第２の型部材とにより形成されるキャビティ内に、発泡性樹脂材料を注入して発泡させることにより、該発泡性樹脂材料からなる発泡体本体と前記サポート材とを一体成形する発泡成形品の製造方法において、
前記サポート材に突起部を取付けて前記第２の型部材に貼着する工程を含み、
前記突起部は、一方向に伸長する柱形状であって、前記サポート材において前記型面形状変形部に対向する領域及び／又は該領域の近傍に、前記型面形状変形部側に向かって突出する態様で並列して複数設けられることを特徴とする発泡成形品の製造方法。
【請求項３】
前記突起部の両端は、ねじれる様に縫製してあることを特徴とする請求項１または２に記載の発泡成形品の製造方法。
【請求項４】
内面に凸条部又は凹条部からなる型面形状変形部を有する第1の型部材と、該第１の型部材に対向する型部材であって、内面にシート状のサポート材が貼着された第２の型部材と、を有し、
前記第１の型部材と前記第２の型部材とにより形成されるキャビティ内に発泡性樹脂材料を注入して発泡させることにより、該発泡性樹脂材料からなる発泡体本体と前記サポート材とを一体成形する発泡成形品の成形型構造において、
前記サポート材には、前記型面形状変形部に対向する領域及び／又は該領域の近傍に突起部が設けられ、該突起部は、前記型面形状変形部の延在方向に沿って伸長する柱形状であることを特徴とする発泡成形品の成形型構造。
【請求項５】
発泡性樹脂材料からなり表面に凹条又は凸条となる形状変形部を有する発泡体本体と、該発泡体本体の前記形状変形部の形成面と対向する表面を覆うシート状のサポート材とが一体成形された発泡成形品において、
前記サポート材には、前記形状変形部に対向する領域及び／又は該領域の近傍に突起部が設けられ、該突起部は、前記形状変形部の延在方向に沿って伸長する柱形状であることを特徴とする発泡成形品。
【請求項６】
内面に凸状部又は凹状部からなる型面形状変形部を有する第1の型部材と、該第１の型部材に対向する型部材であって、内面にシート状のサポート材が貼着された第２の型部材と、を有し、
前記第１の型部材と前記第２の型部材とにより形成されるキャビティ内に発泡性樹脂材料を注入して発泡させることにより、該発泡性樹脂材料からなる発泡体本体と前記サポート材とを一体成形する発泡成形品の成形型構造において、
前記サポート材には、前記型面形状変形部に対向する領域及び／又は該領域の近傍に突起部が設けられ、
該突起部は、一方向に伸長する柱形状であって、並列して複数設けられることを特徴とする発泡成形品の成形型構造。
【請求項７】
発泡性樹脂材料からなり表面に凹状又は凸状となる形状変形部を有する発泡体本体と、該発泡体本体の前記形状変形部の形成面と対向する表面を覆うシート状のサポート材とが一体成形された発泡成形品において、
前記サポート材には、前記形状変形部に対向する領域及び／又は該領域の近傍に突起部が設けられ、
該突起部は、一方向に伸長する柱形状であって、並列して複数設けられたことを特徴とする発泡成形品。
【発明の詳細な説明】
【技術分野】
【０００１】
本発明は、発泡体本体とサポート材とが一体成形された発泡成形品、該発泡成形品の製造方法及び該発泡成形品の成形型構造に関する。
【背景技術】
【０００２】
車両の座席に用いられるシートパッド等には、弾力性のあるポリウレタン等の発泡成形品が用いられている。このような発泡成形品は、例えば、発泡性樹脂材料からなる発泡性本体と、これを補強するサポート材とを備えており、成形型のキャビティ内にサポート材を配置した状態で、液状の発泡性樹脂材料を注入し、これを発泡させることにより、発泡体本体とサポート材とを一体成形している。【０００３】
この一体成形において、キャビティ内のガスは、発泡性樹脂材料の進行に伴って、成形型の合せ面間から外部に排出されるが、ガスが抜け切らずにキャビティ内に残留すると、発泡成形品の表面に欠肉部が発生してしまう。【０００４】
成形型のキャビティの形状は発泡成形品の形状によって決定され、例えば、車両用のシートパッド等では、発泡体本体の表面に凹状又は凸状となる形状変形部が形成されることがある。成形型に、この形状変形部と対応する凸状部又は凹状部を設けた場合、成形型の内面に形成された凸状又は凹状の段差によって発泡性樹脂材料の流動性が阻害され、成形型の凸状部や凹状部の近傍においてガスが残留しやすくなることから、発泡体本体に欠肉部が発生しやすくなる。【０００５】
このような欠肉部の発生を抑制するための対策として、例えば、特許文献１では、発泡成形品を形成する成形型の内部にサポート材を配置し、このサポート材の縁部に、キャビティ内に突出するシート状の流動方向調整ヒレを設ける技術が採用されている。この流動方向調整ヒレは、キャビティの凹状部に対して、発泡性樹脂材料の流動方向上流側に設置される。
【先行技術文献】
【特許文献】
【０００６】
【特許文献１】特開２００５−１２５６９５号公報
【発明の開示】
【発明が解決しようとする課題】
【０００７】
特許文献１に記載の技術では、発泡性樹脂材料が流動方向調整ヒレに衝突して流動方向をキャビティの凹状部に向かわせることにより、凹状部に欠肉部が発生することを防止している。【０００８】
しかしながら、流動方向調整ヒレは一枚のシート状であるので、発泡性樹脂材料の流動によって容易に倒れやすく、ガスの残留を十分に解消することができないという問題があった。【０００９】
さらに、発泡成形品の欠肉部は、キャビティに形成された凹状部のみならず、凸状部に対しても発生することから、凹状部及び凸状部の両方に対してもガス溜りの発生を抑制して安価に欠肉部の発生を防止できる技術が求められていた。【００１０】
本発明は、上記課題に鑑みてなされたものであり、発泡成形品の表面に形成される凹状部又は凸状部に対して欠肉部の発生を防止することができ、且つコストの増加を抑制可能な発泡成形品、発泡成形品の製造方法及び発泡成形品の成形型構造を提供することにある。
【課題を解決するための手段】
【００１１】
上記目的を達成するために、本発明に係る発泡成形品の製造方法は、内面に凸条部又は凹条部からなる型面形状変形部を有する第1の型部材と、該第１の型部材に対向して内面にシート状のサポート材が内面に貼着された第２の型部材とにより形成されるキャビティ内に、発泡性樹脂材料を注入して発泡させることにより、該発泡性樹脂材料からなる発泡体本体と前記サポート材とを一体成形する発泡成形品の製造方法において、前記サポート材に突起部を取付けて前記第２の型部材に貼着する工程を含み、前記突起部は、前記型面形状変形部の延在方向に沿って伸長する柱形状であって、前記サポート材において前記型面形状変形部に対向する領域及び／又は該領域の近傍に、前記型面形状変形部側に向かって突出する態様で設けられることを特徴とする。【００１２】
この構成によれば、サポート材に突起部を取付けて第２の型部材に貼着する工程を含み、この突起部は、型面形状変形部の延在方向に沿って伸長する柱形状であって、第１の型部材の型面形状変形部と対向する領域及び／又は該領域の近傍に、型面形状変形部側に向かって突出する態様で設けられるので、キャビティ内に発泡性樹脂材料を注入した際に、型面形状変形部の延在方向に沿って伸長する突起部の表面に沿って発泡性樹脂材料が流動し、凸条又は凹条の型面形状変形部に十分に充填され、ガスの残留を防止することができる。これにより、キャビティに形成された凸状部又は凹状部の形状が一方向に延在する凸条又は凹条となっている場合に、凸条又は凹条の全長に亘って発泡性樹脂材料を十分に充填することができる。また、突起部は、柱形状を有しているので、突起部に流動性の発泡性樹脂材料が当接しても押し倒されにくく、ガス溜りを防止する効果が高いものとなる。また、突起部を柱形状にする簡易な構成で欠肉部を防止して品質を確保できるので、製造コストを抑えることができる。【００１３】
また、本発明に係る発泡成形品の製造方法は、内面に凸状部又は凹状部からなる型面形状変形部を有する第1の型部材と、該第１の型部材に対向して内面にシート状のサポート材が内面に貼着された第２の型部材とにより形成されるキャビティ内に、発泡性樹脂材料を注入して発泡させることにより、該発泡性樹脂材料からなる発泡体本体と前記サポート材とを一体成形する発泡成形品の製造方法において、前記サポート材に突起部を取付けて前記第２の型部材に貼着する工程を含み、前記突起部は、一方向に伸長する柱形状であって、前記サポート材において前記型面形状変形部に対向する領域及び／又は該領域の近傍に、前記型面形状変形部側に向かって突出する態様で並列して複数設けられることを特徴とする。【００１４】
この構成によれば、サポート材に突起部を取付けて第２の型部材に貼着する工程を含み、この突起部は、一方向に伸長する柱形状であって、第１の型部材の型面形状変形部と対向する領域及び／又は該領域の近傍に、型面形状変形部側に向かって突出する態様で並列して複数設けられるので、キャビティ内に発泡性樹脂材料を注入した際に、突起部の表面に沿って発泡性樹脂材料が波状に流動して型面形状変形部に十分に充填され、ガスの残留を防止することができる。また、突起部は、柱形状を有しているので、突起部に流動性の発泡性樹脂材料が当接しても押し倒されにくく、ガス溜りを防止する効果が高いものとなる。また、突起部を柱形状にする簡易な構成で欠肉部を防止して品質を確保できるので、製造コストを抑えることができる。【００１５】
これら製造方法の発明のより好ましい態様は、以下の（１）〜（２）の通りである。【００１６】
（１）前記突起部の両端は、ねじれる様に縫製してあることを特徴とする。【００１７】
この構成によれば、片面形状変形部の延在方向において、欠肉部が発生しやすい箇所に突起部が一番高く突出するように調整することができる。これにより、ガス抜きが効率よく行われ、欠肉部の発生をより抑制することができる。【００１８】
（２）前記発泡成形品は、前記片面形状変形部により形成される凹条又は凸条の形状変形部を有し、前記発泡性樹脂材料が注入されていない状態において、前記突起部の高さは、前記形状変形部の近傍の前記発泡成形品の厚さの３０％〜７０％の大きさであることを特徴とする。【００１９】
この構成によれば、突起部の高さが発泡成形品の厚さに対して適切な大きさに設定されるので、ガス溜りを防止する効果をより高めることができる。【００２０】
また、本発明に係る発泡成形品の成形型構造は、内面に凸条部又は凹条部からなる型面形状変形部を有する第1の型部材と、該第１の型部材に対向する型部材であって、内面にシート状のサポート材が貼着された第２の型部材と、を有し、前記第１の型部材と前記第２の型部材とにより形成されるキャビティ内に発泡性樹脂材料を注入して発泡させることにより、該発泡性樹脂材料からなる発泡体本体と前記サポート材とを一体成形する発泡成形品の成形型構造において、前記サポート材には、前記型面形状変形部に対向する領域及び／又は該領域の近傍に突起部が設けられ、該突起部は、前記型面形状変形部の延在方向に沿って伸長する柱形状であることを特徴とする。【００２１】
この構成によれば、サポート材には、第１の型部材の型面形状変形部と対向する領域及び／又は該領域の近傍に突起部が設けられ、この突起部が、型面形状変形部の延在方向に沿って伸長する柱形状であるので、キャビティ内に発泡性樹脂材料を注入した際に、突起部の表面に沿って発泡性樹脂材料が流動して凸条部又は凹条部の型面形状変形部に十分に充填され、ガスの残留を防止することができる。また、突起部は、柱形状を有しているので、突起部に流動性の発泡性樹脂材料が当接しても押し倒されにくく、ガス溜りを防止する効果が高いものとなる。また、突起部を柱形状にする簡易な構成で欠肉部を防止して品質を確保できるので、製造コストを抑えることができる。【００２２】
また、本発明に係る発泡成形品の成形型構造は、内面に凸状部又は凹状部からなる型面形状変形部を有する第1の型部材と、該第１の型部材に対向する型部材であって、内面にシート状のサポート材が貼着された第２の型部材と、を有し、前記第１の型部材と前記第２の型部材とにより形成されるキャビティ内に発泡性樹脂材料を注入して発泡させることにより、該発泡性樹脂材料からなる発泡体本体と前記サポート材とを一体成形する発泡成形品の成形型構造において、前記サポート材には、前記型面形状変形部に対向する領域及び／又は該領域の近傍に突起部が設けられ、該突起部は、一方向に伸長する柱形状であって、並列して複数設けられることを特徴とする。【００２３】
この構成によれば、サポート材には、第１の型部材の型面形状変形部と対向する領域及び／又は該領域の近傍に突起部が設けられ、この突起部が、一方向に伸長する柱形状であって、並列して複数設けられるので、キャビティ内に発泡性樹脂材料を注入した際に、突起部の表面に沿って発泡性樹脂材料が波状に流動して型面形状変形部に十分に充填され、ガスの残留を防止することができる。また、突起部は、柱形状を有しているので、突起部に流動性の発泡性樹脂材料が当接しても押し倒されにくく、ガス溜りを防止する効果が高いものとなる。また、突起部を柱形状にする簡易な構成で欠肉部を防止して品質を確保できるので、製造コストを抑えることができる。【００２４】
また、本発明に係る発泡成形品は、発泡性樹脂材料からなり表面に凹条又は凸条となる形状変形部を有する発泡体本体と、該発泡体本体の前記形状変形部の形成面と対向する表面を覆うシート状のサポート材とが一体成形された発泡成形品において、前記サポート材には、前記形状変形部に対向する領域及び／又は該領域の近傍に突起部が設けられ、該突起部は、前記形状変形部の延在方向に沿って伸長する柱形状であることを特徴とする。【００２５】
この構成によれば、発泡性樹脂材料からなる発泡体本体とサポート材とが一体成形された発泡成形品において、サポート材には、形状変形部に対向する領域及び／又は該領域の近傍に突起部が設けられており、突起部は、形状変形部の延在方向に沿って伸長する柱形状であるので、サポート材とともに発泡性樹脂材料により発泡体本体を一体成形する際に、発泡性樹脂材料が突起部の表面に沿って流動して凹条又は凸条となる形状変形部に十分に充填され、ガスの残留を防止することができる。また、突起部は、柱形状を有しているので、突起部に流動性の発泡性樹脂材料が当接しても押し倒されにくく、ガス溜りを防止する効果が高いものとなる。また、突起部を柱形状にする簡易な構成で欠肉部を防止して品質を確保できるので、製造コストを抑えることができる。【００２６】
この発泡成形品の発明のより好ましい態様は、以下の（３）〜（７）の通りである。【００２７】
（３）前記突起部は、前記発泡体本体又は前記サポート材と同一材料で形成されていることを特徴とする。【００２８】
この構成によれば、突起部が発泡体本体又はサポート材と同一材料で形成されているので、部材コストを抑えることができるとともに、突起部を設けることによる異物感を低減することができる。【００２９】
（４）前記突起部は、一枚のシート状部材によって形成されており、前記形状変形部の延在方向に沿って並行に延びる第１の接合部及び第２の接合部と、略円弧状の断面を有して前記第１接合部と前記第２接合部とを連結する本体部とを有することを特徴とする。【００３０】
この構成によれば、一枚のシート状部材を２つの接合部によりサポート材に接合し、各接合部の間を連結する本体部により略円弧状断面を有する突起部を形成することができるので、突起部を簡易かつ安価に形成することができる。また、１つの本体部を２つの接合部によりサポート材に接合支持しているので、突起部をシート状部材で形成していても倒れにくい構造となっている。【００３１】
（５）前記形状変形部は凹条に形成され、前記突起部は、一枚のシート状部材で形成され、前記形状変形部の延在方向に沿って伸長する筒状であることを特徴とする。【００３２】
この構成によれば、発泡体本体の形状変形部が凹条であり、突起部が形状変形部の延在方向に沿って伸長する筒状であるので、凹条の形状変形部に対応した筒状の突起部により、発泡性樹脂材料の流れを変え、発泡性樹脂材料を適切に充填させて欠肉部の発生を防止することができる。また、突起部を一枚のシート状部材で形成することで、コストを抑えることができるとともに、完成品においては、筒状の突起部を発泡性樹脂材料により潰した状態にすることができる。【００３３】
（６）前記突起部は、前記形状変形部の全長の３０％〜８０％の長さ範囲に形成されていることを特徴とする。【００３４】
この構成によれば、突起部の長さが長尺状の形状変形部に対応して適切に設定されるので、ガス溜りの発生を防止する効果をより高めることができる。【００３５】
（７）前記突起部の幅は前記形状変形部の幅よりも大きいことを特徴とする。【００３６】
この構成によれば、凹条の形状変形部の全幅寸法に亘って発泡性樹脂材料の流動方向を突起部により調整することができるので、欠肉部の発生をより確実に抑制することができる。【００３７】
また、本発明に係る発泡成形品は、発泡性樹脂材料からなり表面に凹状又は凸状となる形状変形部を有する発泡体本体と、該発泡体本体の前記形状変形部の形成面と対向する表面を覆うシート状のサポート材とが一体成形された発泡成形品において、前記サポート材には、前記形状変形部に対向する領域及び／又は該領域の近傍に突起部が設けられ、該突起部は、一方向に伸長する柱形状であって、並列して複数設けられたことを特徴とする。【００３８】
この構成によれば、発泡性樹脂材料からなる発泡体本体とサポート材とが一体成形された発泡成形品において、サポート材に突起部が設けられており、突起部は、一方向に伸長する柱形状であって、形状変形部に対向する領域及び／又は該領域の近傍に並列して複数設けられているので、サポート材とともに発泡性樹脂材料により発泡体本体を一体成形する際に、発泡性樹脂材料が突起部の表面に沿って波状に流動して凹状又は凸状となる形状変形部に十分に充填され、ガスの残留を防止することができる。また、突起部は、柱形状を有しているので、突起部に流動性の発泡性樹脂材料が当接しても押し倒されにくく、ガス溜りを防止する効果が高いものとなる。また、突起部を柱形状にする簡易な構成で欠肉部を防止して品質を確保できるので、製造コストを抑えることができる。【００３９】
この発泡成形品の発明のより好ましい態様は、以下の（８）〜（１４）の通りである。【００４０】
（８）複数の前記突起部は、前記発泡体本体又は前記サポート材と同一材料で形成されていることを特徴とする。【００４１】
この構成によれば、突起部が発泡体本体又はサポート材と同一材料で形成されているので、部材コストを抑えることができるとともに、突起部を設けることによる異物感を低減することができる。【００４２】
（９）隣り合う前記突起部の間に、該突起部の起立状態を確保する補強構造が形成されていることを特徴とする。【００４３】
この構成によれば、補強構造により突起部の起立状態を確保できるので、形状変形部側に発泡性樹脂材料をより確実に充填することができる。【００４４】
（１０）前記突起部は、隣り合う少なくとも２つの前記突起部の対向面が互いに接触するように形成されていることを特徴とする。【００４５】
この構成によれば、接触状態にある２つの突起部の対向面により、それぞれの突起部の起立状態を確保することができ、簡易かつ安価な構成で、発泡性樹脂材料の流れを変えて、発泡性樹脂材料の形状変形部への充填をより確実にすることができる。【００４６】
（１１）前記形状変形部は、一方向に延在する凹条であり、複数の前記突起部は、一枚のシート状部材で形成され、前記形状変形部の延在方向に沿って伸長する筒状であって隣接して配置されていることを特徴とする。【００４７】
この構成によれば、発泡体本体の形状変形部が凹条であり、突起部が形状変形部の延在方向に沿って伸長する筒状であるので、凹条の形状変形部に対応した筒状の突起部により発泡性樹脂材料を適切に充填させて欠肉部の発生を防止することができる。また、突起部を一枚のシート状部材で形成することで、コストを抑えることができるとともに、完成品においては、筒状の突起部を発泡性樹脂材料により潰した状態にすることができる。【００４８】
（１２）前記形状変形部は、一方向に延在する凹条であり、前記突起部は、一枚のシート状部材によって２つ設けられており、前記形状変形部の延在方向に沿って並行に延びる第１接合部、第２接合部及び第３接合部と、略円弧状の断面を有して前記第１接合部と前記第２接合部とを連結する第１本体部と、略円弧状の断面を有して前記第２接合部と前記第３接合部とを連結する第２本体部とを有することを特徴とする。【００４９】
この構成によれば、一枚のシート状部材を３つの接合部によりサポート材に接合し、各接合部の間を連結する２つの本体部により略円弧状断面を有する２つの突起部を形成することができるので、突起部を簡易かつ安価に形成することができる。【００５０】
（１３）並列する複数の前記突起部の全幅寸法が、これと対向する前記形状変形部の幅寸法よりも大きいことを特徴とする。【００５１】
この構成によれば、複数の突起部により、形状変形部の全幅寸法に亘って発泡性樹脂材料の流動方向を調整することができるので、欠肉部の発生をより確実に抑制することができる。【００５２】
（１４）隣り合う２つの前記突起部の高さが、互いに異なることを特徴とする。【００５３】
この構成によれば、突起部の高さを形状変形部に合わせて異なる高さにすることで、形状変形部における発泡性樹脂材料の充填がより確実なものとなる。
【発明の効果】
【００５４】
本発明によれば、コストを抑えながら、発泡成形品の表面に形成される凹状部及び凸状部に対して欠肉部の発生を防止することができる。
【図面の簡単な説明】
【００５５】
【図１】本発明の一実施の形態である発泡成形品を用いた車両用シートパッドを示す斜視図。
【図２】（ａ）は図１のＩＩ−ＩＩ線断面図、（ｂ）は（ａ）の要部拡大断面図。
【図３】サポート材に突起部を取付けた状態を示す斜視図。
【図４】成形型を示す断面図。
【図５】図４に示す成形型の要部拡大図。
【図６】シートパッドの製造工程を説明する図５と同様の要部拡大図。
【図７】シートパッドの製造工程を説明する図５と同様の要部拡大図。
【図８】（ａ）〜（ｂ）は、シートパッドにおける突起部の変形例１〜２を説明する図。
【図９】シートパッドにおける突起部の変形例３を説明する図。
【図１０】突起部の変形例４を示す図３と同様の斜視図。
【図１１】突起部の変形例５を説明する図であり、（ａ）は突起部が取付けられたサポート材を示す斜視図、（ｂ）はシートパッドの要部拡大断面図。
【図１２】突起部１６の変形例６を説明する図であり、突起部が取り付けられたサポート材を上方から見た平面図。
【図１３】シートパッドの変形例を説明する図であり、（ａ）は図５と同様の要部拡大図、（ｂ）はシートパッドの要部拡大断面図。
【発明を実施するための形態】
【００５６】
以下の実施の形態では、発泡成形品として車両用シートパッド１０、特に、自動車の前部座席のシートバック部のシートバックパッドを例にとって説明する。なお、本発明は車両用シートパッドに限られず、発泡性樹脂材料で形成された発泡体本体と、これと一体成形されるサポート材とを備えた発泡成形品に適用することができる。
【００５７】
図１は、本発明の一実施形態である発泡成形品を用いた車両用シートパッド１０である、前部座席のシートバックパットを後方側から見た斜視図であり、図２（ａ）は、図１のＩＩ−ＩＩ線断面図、図２（ｂ）は、図２（ａ）の要部拡大断面図である。
【００５８】
本実施の形態の車両用シートパッド１０は、発泡性樹脂材料により形成された発泡体本体１２と、これを補強するサポート材１４とを備え、サポート材１４には突起部１６が取付けられている。
【００５９】
発泡体本体１２は、前面側が乗員の背中が当たる背もたれ部となるパッド本体部２０と、パッド本体部２０の上縁及び左右の側縁のそれぞれから後方に延出する延出部２２と、延出部２２からパッド本体部２０の背面の中央側へ張り出した張出部２４とを有する。パッド本体２０と張出部２４との間には隙間が形成される。なお、以下の説明では、パッド本体部２０の上縁からの延出部２２及び張出部２４を上部延出部２２ａ及び上部張出部２４ａといい、パッド本体部２９の左右側縁からの延出部２２及び張出部２４を側部延出部２２ｂ，２２ｃ及び側部張出部２４ｂ，２４ｃという。
【００６０】
上部張出部２４ａの外面側の表面には、周辺表面に比べて凹状となる形状変形部２６が形成されている。図示例の形状変形部２６は、車両用シートパッド１０の幅方向である左右方向に直線状に延びる凹条に形成されており、この凹条は上部張出部２４ａの左右両端に亘って延在している。なお、本実施の形態において形状変形部２６は、その周辺の緩やかな曲面表面２７ａ，２７ｂに比して高い傾斜角で凹となる部分であり、凹条の幅寸法が長さ方向でほぼ一定となるように設定されている。
【００６１】
サポート材１４は、布製のシート状部材であって、発泡体本体１２の裏側表面である内側面１２ａのほぼ全域に亘って設けられている。
【００６２】
突起部１６は、サポート材１４の内面であって、形状変形部２６と対向する領域及び／又は該領域の近傍に取付けられ、さらに、形状変形部２６の幅方向に並んで複数設けられる。突起部１６は、形状変形部２６の延在方向に沿って伸長する柱形状に形成されており、略円弧状断面又は多角形状断面を有する。ここで、柱形状とは、中実の柱形状と、筒形状などの中空の柱形状とを含む意味であり、略円弧状とは、円弧形状のみならず、円形状や半円形状、凸曲面形状などを含む意味である。
【００６３】
本実施の形態において突起部１６は、サポート材１４と同一材料の一枚のシート状部材で形成されており、形状変形部２６の延在方向に沿って伸長する断面略半円形状の筒状であって、形状変形部２６と対向する領域に、対向面が互いに接触した状態で２つ設けられている。また、後述するように、突起部１６は、発泡成形工程において発泡性樹脂材料により押し潰されることにより、筒形状が潰れた状態になっている場合もある。
【００６４】
図３は、サポート材１４に突起部１６を取付けた状態を示す斜視図である。突起部１６は、一枚のシート状部材（以下、突起部用シート部材という）によって２つ設けられている。突起部用シート部材は、サポート材１４に接合された第１接合部（第１の接合部）３１、第２接合部（第２の接合部）３２及び第３接合部３３と、第１接合部３１と第２接合部３２とを連結する第１本体部（本体部）３５と、第２接合部３２と第３接合部３３とを連結する第２本体部３６とを有し、各接合部３１，３２，３３は、一方向に並行して延びており、各本体部３５，３６は、略半円形状の断面を有している。各接合部３１，３２，３３では、サポート材１４と突起部用シート部材とが縫着或いは接着剤等に接着されている。第１本体部３５により第１の突起部１６−１が形成され、第２本体部３６により第２の突起部１６−２が形成される。
【００６５】
このように、一枚の突起部用シート部材を３つの接合部３１，３２，３３によりサポート材１４に接合し、各接合部の間を連結する２つの本体部３５，３６により２つの突起部１６−１，１６−２を形成することで、２つの突起部１６を簡易かつ安価に形成することができる。さらに、突起部用シート部材をサポート材１４と同一材料とすることで部材コストを低減したり、突起部１６を設けることによる異物感を低減したりすることができる。なお、図示していないが、突起部用シート部材において、接合部３１，３２，３３となる部位の両端部に、縫着する際の目印となる切り欠きを設けてもよい。
【００６６】
隣り合う突起部１６−１，１６−２の間には、各突起部１６の起立状態を確保する補強構造が形成されている。これにより、後述する発泡成形工程において、発泡性樹脂材料Ｍにより突起部１６を倒れにくくすることができる。本実施の形態では、隣接する突起部１６−１，１６−２の対向面を互いに接触した状態とすることで、各突起部１６の起立状態を確保する補強構造を構成しているが、補強用のシート等を別途追加してもよい。本実施の形態のように、突起部１６自体によって補強構造を構成することで、コストを抑え、構造を簡易化することができる。
【００６７】
また、各突起部１６−１，１６−２の長さＬ２は、形状変形部２６の長さＬ１（図１参照）の３０％〜８０％の長さに設定される。また、各突起部１６−１，１６−２と、形状変形部２６とは、長さ方向の中央部が重なるように配置されている。このように、突起部１６の長さを長尺状の形状変形部２６に対応させて適切に設定することで、後述する発泡成形工程において、ガス溜りの発生を防止する効果をより高めることができる。
【００６８】
車両用シートパッド１０の成形は、上述のように、サポート材１４に突起部１６を取付け（突起部取付工程）、その後、図４に示すような成形型５０により、サポート材１４と発泡体本体１２とを一体成形することにより行われる。なお、図４は、成形型５０内にサポート材１４を貼着して発泡性樹脂材料Ｍを注入し、型締めした状態を示している。
【００６９】
成形型５０は、下型５２と、上型（第１の型部材）５４と、これらの間に配置されてピストンシリンダ５１により駆動される中子（第２の型部材）５６とを備える。上型５４及び中子５６は、下型５２の一端側に対し、それぞれ支持軸（図示略）を介して開閉可能に連結されている。成形型５０が図５に示す型締め状態となった際に、各型の成形面の間で車両用シートパッド１０を成形するキャビティ６０が構成される。車両用シートパッド１０は、前面が下型５２を向く態様で成形される。
【００７０】
キャビティ６０は、パッド本体部２０を成形する第１空間部６１と、延出部２２を成形する第２空間部６２と、張出部２４を成形する第３空間部６３とを有する。第１及び第２空間部６１，６２は、主に下型５２及び中子５６によって形成され、第３空間部６３は互いに対向する上型５４及び中子５６により形成される。
【００７１】
上型５４の成形面（内面）には、凹状部又は凸状部からなる型面形状変形部５８が形成されている。型面形状変形部５８は、車両用シートパッド１０の形状変形部２６に対応した凹状又は凸状に形成された部分であり、本実施の形態では、形状変形部２６の凹条に対応する凸条に形成されている。
【００７２】
次に、成形型５０を用いて、突起部１６が取付けられたサポート材１４と発泡体本体とを一体成形する工程を説明する。
【００７３】
まず、下型５２に対して、上型５４及び中子５６を型開きし、サポート材１４を中子４５の成形面（内面）に、例えば、磁性シール等の固着部材を用いて貼着する（サポート材貼着工程）。この際、突起部１６は、上型５４の型面形状変形部５８と対向する領域及び／又は該領域の近傍に、型面形状変形部５８側に突出するように配置される。本実施の形態では、２つの筒状の突起部１６−１，１６−２が、型面形状変形部５８と対向する領域に、型面形状変形部５８の延在方向に沿って伸長するように、並列状態で設けられる。なお、各型の成形面には、予め離型材が塗布される。
【００７４】
図５に示すように、複数の突起部１６−１，１６−２の全幅寸法Ｗ２は、型面形状変形部５８の幅寸法（すなわち、車両用シートパッド１０の形状変形部２６の幅寸法）よりも大きく設定されることが好ましい。また、凸条の型面形状変形部５０の頂部（すなわち、凹条の形状変形部２６の底部）が、隣接する２つの突起部１６−１，１６−２の間に位置するように配置されることが好ましい。また、突起部１６の高さＨは、型面形状変形部５８の近傍のキャビティ６０の厚さＤの３０〜７０％の大きさ（すなわち、車両用シートパッド１０の形状変形部２６の近傍の厚さの３０〜７０％の大きさ）に設定される。
【００７５】
次に、第１空間部６１を形成する下型５２の成形面に、例えばウレタン原液等の発泡性樹脂材料Ｍを所定量注入する（材料注入工程）。その後、図４に示すように、この状態で上型５４及び中子５６を型締めし、発泡樹脂原料を発泡させる（型締工程）。
【００７６】
発泡性樹脂材料Ｍが第１空間部６１内で発泡して充満すると、その発泡の進行に伴って、発泡性樹脂材料Ｍが第２空間部６２から第３空間部６３へと順に充填されていく（発泡成形工程）。キャビティ６０内のガスは、各型の合わせ面で形成される型分割線（パーティングライン）ＰＬ１，ＰＬ２から外部に排出される。
【００７７】
図６において矢印で示すように、発泡性樹脂材料Ｍが型面形状変形部５８と突起部１６との間を通過する際には、発泡性樹脂材料Ｍが各突起部１６の表面に沿って波状に流動して進行する。これにより、発泡性樹脂材料Ｍが型面形状変形部５８へ向かって押し流され、型面形状変形部５８近傍のガスの残留が防止される。特に、型面形状変形部５８が凸状である場合、凸状の下流側に形成される窪み部分５８ａにガス残りが発生しやすくなるが、これの対向領域に突起部１６が設けられることにより、発泡性樹脂材料Ｍが窪み部分５８ａへ押し流すことができる。
【００７８】
図７に示すように、発泡性樹脂材料Ｍの発泡によりキャビティ６０内が充満してくると、発泡性樹脂材料Ｍの発泡圧により中空筒状の突起部１６が潰れた状態になる。第３空間部６３内のガスは、キャビティ末端部の上型５４と中子５２と型分割線ＰＬ１から十分に排出される。なお、この型分割線ＰＬ１は突起部１６よりも張出部２４の先端側に位置している。
【００７９】
このように形成された車両用シートパッド１０は、形状変形部２６における欠肉部の発生が防止され、高い製品品質を確保することができる。特に、突起部１６は、柱形状に形成されているので、発泡性樹脂材料Ｍの流動によって押し倒され難く、潰れ難い構造となっているので、ガス残りを防止する効果が高いものとなる。また、図示例のように、上型５４の型面形状変形部５８が、発泡性樹脂材料Ｍの流動方向に対して交差する方向に延在している場合、突起部１６を形状変形部２６の延在方向に沿って長く形成することで、型面形状変形部５８の全長に亘ってガス残りを効果的に防止することができる。
【００８０】
また、突起部１６の高さＨや幅寸法Ｗ２をキャビティ６０の厚さや型面形状変更部５８の幅に応じて適切に設定することで、ガス溜りを防止する効果をより高めることができる。
【００８１】
また、突起部１６が柔らかい布製であるので、完成した発泡成形品における異物感が低いものとなる。車両用シートパッド１０において突起部１６は起立状態を維持していてもよいが、突起部１６が比較的長く形成されている場合等には、図７に示すようにキャビティ６０内に発泡性樹脂材料Ｍが充満した際に突起部１６が潰れた状態になることがあり、かかる場合には突起部１６が存在することによる触感的な違和感がより低減される。
【００８２】
次に、図８〜図１１を用いて突起部１６の変形例、図１２を用いて形状変形部２６の変形例を説明する。なお、図８〜図１２において、上述した実施の形態と同様の要素には、同一の符号を付し、その説明を省略する。
【００８３】
（変形例１）
図８（ａ）は、突起部１６の変形例１を説明する図であり、サポート材１４を成形型に設置した状態を示す図５と同様の要部拡大図である。変形例１の突起部１６−１，１６−２は、凸条の型面形状変形部５８の幅方向（すなわち、車両用シートパッド１０の凹条の形状変形部２６の幅方向）に互いに離間して配置されている。複数の突起部１６の全幅寸法Ｗ３は、型面形状変形部５８の幅寸法Ｗ１よりも大きいことが好ましい。さらに、発泡性樹脂材料の流れ方向の下流側の突起部１６−２は、上流側の突起部１６−１よりも高く設定されている。なお、突起部１６−１，１６−２の高さは、同じ高さであってもよく、下流側が高く設定されていてもよい。また、各突起部１６−１，１６−２の高さＨ１，Ｈ２は、それぞれ、キャビティ６０の厚さＤの３０％〜７０％の大きさであることが好ましい。
【００８４】
変形例１のように、突起部１６を離間して複数設けたり、各突起部１６の高さを変えたりすることにより、形状変形部２６に対する発泡性樹脂材料の流れ方向を適切にコントロールして、欠肉部の発生をより確実に防止することが可能である。
【００８５】
（変形例２）
図８（ｂ）は、突起部１６の変形例２を説明する図であり、サポート材１４を成形型に設置した状態を示す図５と同様の要部拡大図である。変形例２において、複数の突起部１６−１，１６−２は、それぞれ、断面円形状の筒型に形成されている。複数の突起部１６−１，１６−２は、一枚のシート状部材で形成されており、各突起部１６−１，１６−２は、延在方向に連続した一つの接合部７１，７２により、それぞれ、円形断面に形成されるとともにサポート材１４に縫い付けられている。なお、各接合部の間は、サポート材１４に対して非接合とすることができる。このように、各突起部を一つの接合部によって形成及び接合することで、よりコストを低減することができる。
【００８６】
（変形例３）
図９は、突起部１６の変形例３を説明する図であり、サポート材１４を成形型に設置した状態を示す図５と同様の要部拡大図である。変形例３では、一つの形状変形部２６に対して一つの突起部１６を設けている。このように突起部１６を一つとすることで、構造をより簡易化し、部材コストを低減することができる。
【００８７】
（変形例４）
図１０は、突起部１６の変形例４を説明する図であり、図３と同様に、複数の突起部１６−１，１６−２がサポート材１４に取付けられた状態を示す斜視図である。変形例３では、幅方向に並ぶ複数の突起部１６−１，１６−２が、形状変形部２６の延在方向となる長さ方向において、複数に分割された態様で配置される。分割された突起部１６の全長Ｌ２は、形状変形部２６の長さＬ１の３０％〜８０％とすることが好ましい。このように、長さ方向において隙間を空けて複数に分割した態様にすることで、部材コストを抑えることができる。また、分割された突起部１６を必要な個所に適宜配置することができる。例えば、突起部１６を等間隔に配置するだけではなく、ガス溜りが発生しやすい箇所（例えば、形状変形部２６の長さ方向中央部）に密集させて配置し、その他の部位は、より間隔をあけて配置することができる。
【００８８】
（変形例５）
図１１は、突起部１６の変形例５を説明する図であり、（ａ）は突起部１６が取付けられたサポート材１４を示す斜視図であって、発泡体本体１２と一体成形される前の状態を示し、（ｂ）は図２（ｃ）と同様の車両用シートパッド１０の要部拡大断面図である。変形例５の突起部１６は、発泡体本体と同一材料で形成されており、形状変形部２６の延在方向に沿って伸長する直方体状に形成され、サポート材１４と対向する面で互いに接合されている。各突起部１６−１，１６−２は、互いに離間した状態でほぼ平行に延びている。このように突起部１６を発泡体本体１２と同一材料とすることで、部材コストを抑えることができるとともに、完成品において突起部１６による触覚的な違和感を低減させることができる。
【００８９】
（変形例６）
図１２は、突起部１６の変形例６を説明する図であり、突起部１６が取り付けられたサポート材１４を上方から見た平面図である。変形例６の突起部１６−１，１６−２は、両端部がねじれる様に縫製してある。図示例では、突起部１６の頂部が延在方向の一端部と他端部とで逆方向（矢印Ｘ１の方向と、矢印Ｘ２の方向）に倒れるように潰された状態で接合部３７，３８により縫い付けられている。ねじれの中心位置付近（図１２において一点鎖線３９で囲む領域）では、突起部１６−１，１６−２が立ち上がって高さが最も高くなっている。このように突起部１６にねじれを形成することで、突起部１６の高さを延在方向で変えることができ、例えば、欠肉部が発生しやすい箇所で突起部１６の高さが最も高くなるようにすることで、成形時のガス抜き効果を高めて欠肉部の発生を効果的に抑制することが可能となる。また、突起部１６をねじる様に縫製することで、成形型５０に貼着する前の未使用のサポート材１４を折り畳んで梱包するときに、突起部１６が潰れることを防止することができる。突起部１６のねじれの中心位置は、例えば、縫製位置を変える等によって、延在方向で自由に調整することができる。
【００９０】
（形状変形部の変形例）
図１３は、車両用シートパッド１０の形状変形部の変形例を説明する図であって、図５と同様の要部拡大図である。本変形例では、形状変形部２８を形成する成形型５０の上型５４に形成される型面形状変形部５９が凹状に形成されており、具体的には、一方向に延びる凹条に形成されている。複数の突起部１６−１，１６−２は、凸条の形状変形部２８の延在方向に伸長する筒状に形成されている。
【００９１】
なお、本発明は上述した実施の形態及び変形例に限定されるものではなく、発明の趣旨を逸脱しない範囲で種々の変更が可能である。例えば、突起部１６は、少なくとも１つ設けられていればよく、３つ以上設けられる構成であってもよい。また、上述した実施の形態及び各変形例に示した構成を適宜組み合わせて適用することが可能である。
【符号の説明】
【００９２】
１０    車両用シートパッド
１２    発泡体本体
１４    サポート材
１６    突起部
２０    パッド本体部
２２    延出部
２４    張出部
５０    成形型
５２    下型
５４    上型
５６    中子
５８    型面形状変形部
【図１】
2019087647.tif 000003
【図２】
2019087647.tif 000004
【図３】
2019087647.tif 000005
【図４】
2019087647.tif 000006
【図５】
2019087647.tif 000007
【図６】
2019087647.tif 000008
【図７】
2019087647.tif 000009
【図８】
2019087647.tif 000010
【図９】
2019087647.tif 000011
【図１０】
2019087647.tif 000012
【図１１】
2019087647.tif 000013
【図１２】
2019087647.tif 000014
【図１３】
2019087647.tif 000015
【国際調査報告】
2019087647.tif 000016
2019087647.tif 000017
2019087647.tif 000018
2019087647.tif 000019